(57)【特許請求の範囲】
【請求項１】
ボルト孔が形成された棚板と、
当該棚板上に左右方向に並べられた複数のシャーシと、
当該複数のシャーシの下側に前後方向に互いに間隔を隔てて配置され、左右方向に延びるとともに、ボルト孔が形成された上側の水平なシャーシ連結部と、ねじ孔が形成された下側の水平な棚板固定部と、前記シャーシ連結部および前記棚板固定部をつなぐ鉛直部とによって構成され、前記シャーシ連結部の前記ボルト孔に通したねじを前記複数のシャーシにねじ込むことにより当該複数のシャーシに固定され、前記複数のシャーシを互いに連結する前後の金属製の連結部材と、
前記シャーシに回動自在に設けられた複数の鍵と、
前記棚板の前記ボルト孔に下側から通され、前記棚板固定部の前記ねじ孔にねじ込まれることにより、前記複数のシャーシを前記棚板に固定するねじと、
を備えていることを特徴とする鍵盤楽器の鍵盤装置。
【発明の詳細な説明】
【０００１】
【発明の属する技術分野】
本発明は、電子ピアノなどに用いられる鍵盤楽器の鍵盤装置に関する。
【０００２】
【従来の技術】
従来の電子ピアノの鍵盤装置では一般に、１個の金属製のシャーシ（フレーム）上に多数の鍵が左右方向に並んで取り付けられている。このシャーシには、多数の溝や孔などが形成されており、各鍵は、これらの溝および孔に係合した状態で、シャーシに回動自在に取り付けられている。また、シャーシは、１枚の金属板（例えば鋼板）にプレス金型を用いた打ち抜き加工を施すとともに、曲げ金型を用いた曲げ加工などを施すことによって、一体に製作されている。また、金属製のシャーシに代えて合成樹脂製のシャーシを用いた鍵盤装置も知られており、その場合、合成樹脂製のシャーシは一般に、金型を備える射出成形機によって、一体的に射出成形されている。さらに、このような鍵盤装置は通常、楽器本体の棚板側からシャーシにねじ込んだねじによって、棚板に固定されている。
【０００３】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズにならざるを得ない。このため、シャーシの加工に使用される、プレス金型、曲げ金型および射出成形用の金型や、プレス機および射出成形機を含めた製造設備が大型になり、製造コストを大きく増大させる原因になっている。これに加えて、シャーシの試作段階において、シャーシに形成される孔や鍵ガイドの位置などが、金型の製造誤差などによってずれてしまうことがあり、これらの位置を整えるための金型調整が必要になる場合がある。この場合、金型が大型であることにより、溝や孔の位置ずれを調整すべき範囲が広くなることによって、金型の調整作業に手間がかかり、その結果、製造コストをさらに増大させるという問題がある。
【０００４】
また、鍵盤装置には、通常の８８鍵に限らず、様々な鍵数のものがある。しかし、従来の鍵盤装置では、全体として１個のシャーシを用いているため、例えば８８鍵用のシャーシの金型を、７６鍵用のシャーシの加工に転用することは不可能である。このため、鍵数の異なる鍵盤装置を製造する場合、それぞれの鍵数用のシャーシの金型を別々に製作しなければならず、製造コストが一層、増大してしまう。
【０００５】
さらに、この鍵盤装置は、シャーシへのねじ込みによって楽器本体の棚板に固定されるため、シャーシが合成樹脂製の場合には、ねじ保持力が不足がちになることで、ねじバカなどが生じやすく、棚板にしっかりと固定することが困難になる。例えば、電子ピアノでは通常、棚板がＭＤＦや合板などの木質材で構成されているために、その反りやねじれの発生によってねじに引抜き力が作用しやすいことから、十分なねじ保持力を確保することが特に必要になる。このような不具合を解消すべく、シャーシに金属製の取付用部材を取り付け、この取付用部材を介して鍵盤装置を棚板にねじ止めすることも従来行われている。しかし、この場合には、別個の取付用部材を必要とする分、部品点数と組立工数が増加し、さらなるコスト増を招いてしまう。
【０００６】
本発明は、このような課題を解決するためになされたものであり、シャーシの製作コストの大幅な削減により製造コストを大幅に削減することができ、組立を容易に行えるとともに、別個の取付用部材を必要とすることなく、楽器本体にしっかり固定することができる鍵盤楽器の鍵盤装置を提供することを目的とする。
【０００７】
【課題を解決するための手段】
この目的を達成するため、本発明の鍵盤楽器の鍵盤装置は、ボルト孔が形成された棚板と、棚板上に左右方向に並べられた複数のシャーシと、複数のシャーシの下側に前後方向に互いに間隔を隔てて配置され、左右方向に延びるとともに、ボルト孔が形成された上側の水平なシャーシ連結部と、ねじ孔が形成された下側の水平な棚板固定部と、シャーシ連結部および棚板固定部をつなぐ鉛直部とによって構成され、シャーシ連結部のボルト孔に通したねじを複数のシャーシにねじ込むことにより複数のシャーシに固定され、複数のシャーシを互いに連結する前後の金属製の連結部材と、シャーシに回動自在に設けられた複数の鍵と、棚板のボルト孔に下側から通され、棚板固定部のねじ孔にねじ込まれることにより、複数のシャーシを棚板に固定するねじと、を備えていることを特徴とする。
【０００８】
この鍵盤楽器の鍵盤装置によれば、鍵盤装置のシャーシが複数に分割されていて、それらを別々に製作できるので、１つの鍵盤装置に対して１個のシャーシを製作する従来の場合と比べて、シャーシ１個当りのサイズを小型化できる。これによって、シャーシの製作に用いる、金型やプレス機などを含む製造設備を小型化できるとともに、試作段階の金型調整も容易になるので、シャーシの製作コスト、したがって、鍵盤装置の製造コストを大幅に削減することができる。
【０００９】
また、複数のシャーシが、左右方向に延びる前後の連結部材で互いに連結されるので、例えば、シャーシを楽器本体に取り付ける前に、連結部材で連結した複数のシャーシに鍵を取り付けることが可能になるなど、鍵盤装置の組立の自由度が高められる。そして、そのように、棚板への取付前に、例えば楽器本体外で、鍵盤装置を組み立てることによって、その組立作業、および複数のシャーシ相互間やそれらに取り付けられた鍵相互間の位置関係の調整作業などを容易に行うことができ、棚板上にシャーシや鍵などを順次、組み込んだ場合に生じやすい鍵の表面の損傷などを回避することができる。
【００１０】
さらに、棚板の下側からそのボルト孔を介して金属製の連結部材にねじ込んだねじによって、シャーシを棚板に固定するので、十分なねじ保持力を確保でき、ねじバカなどの不具合を防止しつつ、シャーシを棚板にしっかり固定することができる。また、そのために従来設けられていた別個の取付用部材は不要となり、その分の部品点数および組立工数の削減によって、製造コストをさらに削減することができる。
【００１１】
【発明の実施の形態】
以下、図面を参照しながら、本発明の実施形態を詳細に説明する。図１および図２は、本発明の第１実施形態による電子ピアノの鍵盤装置を示している。両図に示すように、この鍵盤装置１は、複数のシャーシ２と、シャーシ２上に回動自在に取り付けられ、左右方向に並設された多数の鍵３と、複数のシャーシ２を互いに連結する前後の連結部材４、４と、を備えている。
【００１２】
複数のシャーシ２は、左右方向に並んだ状態で連結部材４、４によって連結されており、中央の７個（図１には２個のみ図示）のシャーシと、図示しない最低音部用および最高音部用のシャーシの、計９個のシャーシで構成されている。このうち、中央の７個のシャーシ２は、互いに同じ寸法および形状を有しており、各シャーシ２に、１オクターブ分の鍵３、すなわち７個の白鍵３ａおよび５個の黒鍵３ｂから成る計１２個の鍵３が取り付けられている。また、最低音部用および最高音部用のシャーシには、最低音部の３個の鍵３および最高音の１個の鍵３がそれぞれ取り付けられている。このように、鍵盤装置１は、全部で８８個の鍵３を備えている（図１には２オクターブ分のみ図示）。
【００１３】
中央の７個のシャーシ２はそれぞれ、同じ金型で製作された、例えばＡＢＳ樹脂の射出成形品で構成され、矩形の平面形状を有している。シャーシ２の下面の四隅には、ボス２ａが下方に突出して形成されており（図２に前後の２つのみ図示）、前側のボス２ａには後方に延びる補強用のリブ２ｂ、後ろ側のボス２ａには前後に延びるリブ２ｂ、２ｂが、それぞれ一体に形成されている。
【００１４】
一方、最低音部用および最高音部用のシャーシはそれぞれ、上記シャーシ２用の金型に入子型を用いることによって、Ｖ字形の溝付きのシャーシを射出成形し、この溝付きシャーシを溝に沿って切断することにより、製作されている。
【００１５】
前後の連結部材４、４はそれぞれ、シャーシ２の左右方向の全体に渡る長さの細長い１本の金属製のアングル状のものであり、例えばアルミ合金の押出成形品で構成されている。前連結部材４は、図２に示すように、上側の水平なシャーシ連結部４ａと、下側の水平な棚板固定部４ｂと、それらの後端間をつなぐ鉛直部４ｃとで構成されている。シャーシ連結部４ａには、シャーシ２のボス２ａに対応する位置に、複数のボルト孔４ｄ（１つのみ図示）が形成されている。そして、前連結部材４は、シャーシ連結部４ａのボルト孔４ｄを介して下側から通したねじ８を、各シャーシ２の前側のボス２ａにねじ込むことによって、シャーシ２に固定され、シャーシ２を相互に連結する（図１参照）。
【００１６】
一方、後連結部材４は、前連結部材４と前後対称に形成され、すなわち、上下の水平なシャーシ連結部４ａおよび棚板固定部４ｂと、それらの前端間をつなぐ鉛直部４ｃとから構成されており、前連結部材４と同様、シャーシ連結部４ａのボルト孔４ｄを介して、各シャーシ２の後ろ側のボス２ａに、下方からねじ８で固定され、シャーシ２を相互に連結する。
【００１７】
鍵３（白鍵３ａおよび黒鍵３ｂ）はそれぞれ、例えばＡＢＳ樹脂の射出成形品で構成されており、以下、白鍵３ａを例にとり、その構成を説明する。白鍵３ａの後端部には、下方に延びる可撓部３ｅと、この可撓部３ｅから後方に水平に延びる取付部３ｆとが形成されている。白鍵３ａは、この取付部３ｆの部分で、ねじ９によりシャーシ２の上面後端部に取り付けられている。また、可撓部３ｅは、白鍵３ａが押鍵されたときに、弾性変形して撓めるような厚さを有しており、この構成によって、白鍵３ａは、取付部３ｆを中心として回動可能であるとともに、離鍵後は、可撓部３ｅの弾性力によって、離鍵方向（図２の時計方向）に復帰回動するようになっている。
【００１８】
また、白鍵３ａの前部には、フック状のストッパ部３ｃが形成されており、このストッパ部３ｃは、シャーシ２の孔２ｄを通って下方に突出している。一方、シャーシ２の上面および下面には、ゴム製の下限ストッパ２ｅおよび上限ストッパ２ｆが、それぞれ取り付けられている。以上の構成により、白鍵３ａは、ストッパ部３ｃが上限ストッパ２ｆに当接する斜め後ろ下がりの離鍵位置（図２に示す位置）と、白鍵３ａの下面が下限ストッパ２ｅに当接する押鍵位置（図示せず）との間で、回動可能であり、常時は、可撓部３ｅの弾性力によって離鍵位置に位置している。
【００１９】
さらに、シャーシ２には、白鍵３ａのストッパ部３ｃに相当する位置に、鍵ガイド２ｇが立設されている。白鍵３ａは、その回動時に、この鍵ガイド２ｇによって、左右方向にぶれないように案内される。
【００２０】
白鍵３ａは、以上のように構成されており、説明は省略するが、黒鍵３ｂも白鍵３ａとほぼ同様に構成されている。
【００２１】
また、シャーシ２の中央部には、鍵３の押鍵情報を検出するための鍵スイッチ１３が設けられている。この鍵スイッチ１３は、プリント基板１４と、その上面に設けられた多数のスイッチ本体１５とを備えている。プリント基板１４は、その前端部がシャーシ２の係合溝２ｃに係合した状態で、シャーシ２にねじ１０で取り付けられている。
【００２２】
各スイッチ本体１５は、シャーシ２に形成した孔２ｈを介して、シャーシ２の上方に突出するとともに、プリント基板１４を介して、電子ピアノの発音を制御する制御装置（図示せず）に接続されている。一方、鍵３の中央部には、下方に突出するアクチュエータ部３ｄが形成されており、このアクチュエータ部３ｄは、スイッチ本体１５の上面に常に当接している。そして、鍵３が押鍵されるのに伴い、アクチュエータ部３ｄがスイッチ本体１５を押下し、オン動作させることによって、鍵３の押鍵の有無および押鍵速度などの押鍵情報が検出され、その検出結果に応じて、制御装置が電子ピアノの発音を制御するようになっている。
【００２３】
以上の構成の鍵盤装置１は、例えば、複数のシャーシ２を前後の連結部材４、５により、前述したようにして相互に連結し、次いで、連結されたシャーシ２に鍵スイッチ１３や鍵３を取り付けることなどにより組み立てられ、さらにシャーシ２相互間や鍵３相互間の位置関係の調整を終えた後、楽器本体としての棚板７に取り付けられる。この棚板７は、ＭＤＦや合板などの木質材で構成されている。
【００２４】
この棚板７への鍵盤装置１の取付は、図２に示すように、棚板７に形成したボルト孔７ａ、および前後の連結部材４、４の各棚板固定部４ｂに形成したねじ孔４ｅに、ねじ１１を棚板７の下側から通し、このねじ１１を棚板固定部４ｂのねじ孔４ｅにねじ込むことによって、行われる。
【００２５】
以上のように構成された本実施形態の鍵盤装置１によれば、鍵３を取り付けるためのシャーシが、１オクターブ分用の７個のシャーシ２と、最低音部用および最高音部用の２個のシャーシとに分割構成されているので、シャーシ２の製作に用いる、射出成形用の金型や射出成形機を含めた製造設備を小型化できる。また、金型の小型化によって、試作段階の金型調整も容易になる。したがって、シャーシ２の製作コストを大幅に削減でき、鍵盤装置１の製造コストを大幅に削減することができる。
【００２６】
また、複数のシャーシ２が連結部材４で互いに連結されるので、例えば、シャーシ２を棚板７に取り付ける前に、連結部材４で連結した複数のシャーシ２に鍵３を取り付けることが可能になるなど、鍵盤装置１の組立の自由度が高められる。そして、そのように、棚板７への取付前に、例えばピアノ本体外で、鍵盤装置１を組み立てることによって、その組立作業、および複数のシャーシ２相互間やそれらに取り付けられた鍵３相互間の位置関係の調整作業などを容易に行うことができ、棚板７にシャーシ２や鍵３などを順次、組み込んだ場合に生じやすい鍵３の表面の損傷などを回避することができる。
【００２７】
さらに、金属製の連結部材４に棚板７側からねじ込んだねじ１１によって、シャーシ２を棚板７に固定するので、十分なねじ保持力を確保でき、ねじバカなどの不具合を防止しつつ、鍵盤装置１を棚板７にしっかり固定することができる。また、そのために従来設けられていた別個の取付用部材は不要となり、その分の部品点数および組立工数の削減によって、製造コストをさらに削減することができる。
【００２８】
図３は、本発明の第２実施形態による電子ピアノの鍵盤装置を示している。この鍵盤装置２１は、鍵３に連動して回動するハンマー２２を備えたタイプのものである。鍵３は、後端部がシャーシ２に回動自在に支持されている。ハンマー２２は、その中央部よりも前側の部分で、シャーシ２の回動支点２３に回動自在に支持されている。また、ハンマー２２は、その前端部の鍵当接部２２ａが鍵３の頂壁の裏面に当接しているとともに、回動支点２３よりも後ろ側の部分がシャーシ２の開口２ｉを通って、シャーシ２の下側に延びている。さらに、ハンマー２２の後端部には、上方に延びる延出部２２ｂが形成されていて、ハンマー２２の回動時、この延出部２２ｂが、シャーシ２に形成された開口２ｊを通って、出入りするようになっている。
【００２９】
さらに、ハンマー２２の鍵当接部２２ａの下側には、アクチュエータ部２２ｃが形成されていて、このアクチュエータ部２２ｃは、鍵スイッチ１３のスイッチ本体１５の上面に常時、当接している。なお、同図中の符号２ｋ、２ｌは、ハンマー２２の下限位置および上限位置をそれぞれ規制するために、棚板７の上面およびシャーシ２の下面にそれぞれ設けられた下限ストッパおよび上限ストッパである。以上の構成により、鍵３が押鍵されると、ハンマー２２は、その鍵当接部２２ａが鍵３で押されることによって、同図の反時計方向に回動し、この回動の際、アクチュエータ部２２ｃが鍵スイッチ１３のスイッチ本体１５を押下することによって、鍵３の押鍵情報が検出される。
【００３０】
本実施形態においても、シャーシ２は９個のシャーシで分割構成されており、これら複数のシャーシ２は、前述した第１実施形態の前連結部材４と同様の金属製の前後の連結部材４、４により、第１実施形態と同様にして、互いに連結されるとともに、棚板７に固定されている。また、本実施形態では、前後の連結部材４、４に加えて、中央の連結部材１２が設けられている。この連結部材１２は、上下の水平なシャーシ連結部１２ａおよび棚板固定部１２ｂと、前者１２ａの後端と後者１２ｂの前端の間に延びる鉛直部１２ｃとで構成されている。連結部材１２は、シャーシ連結部１２ａに形成したボルト孔１２ｄを介し、鍵スイッチ１３を固定するねじ１０によって、シャーシ２に固定され、これらを相互に連結するとともに、棚板固定部１２ｂに形成したねじ孔１２ｅに、ねじ１１を棚板７のボルト孔７ａを介して下側からねじ込むことによって、棚板７に固定されている。
【００３１】
したがって、本実施形態の鍵盤装置２１においても、第１実施形態と同様の効果を得ることができ、すなわち、シャーシ２の製作コストの削減により鍵盤装置２１の製造コストを大幅に削減でき、組立の自由度が高められるとともに、連結部材４、１２を介して、鍵盤装置２１を棚板７にしっかり固定することができる。
【００３２】
図４および図５は、本発明の第３実施形態による電子ピアノの鍵盤装置を示している。この鍵盤装置３１は、第２実施形態の鍵盤装置２１と比較し、ハンマー２２の延出部２２ｂの下端部に後方に突出するストッパ部２２ｄが形成されている点、および、後連結部材２４が第２実施形態の後連結部材４よりも大きな寸法を有していて、その上下のシャーシ連結部２４ａおよび棚板固定部２４ｂに、上限ストッパ２ｌおよび下限ストッパ２ｋがそれぞれ取り付けられている点のみが異なるものである。この構成によれば、ハンマー２２は、図４および図５に示すように、そのストッパ部２２ｃが下限ストッパ２ｋおよび上限ストッパ２ｌに当接することによって、回動範囲を規制される。
【００３３】
したがって、本実施形態の鍵盤装置３１においても、第１および第２実施形態とまったく同様の効果を得ることができる。また、ハンマー２２の回動範囲を規制する上限および下限ストッパ２ｌ、２ｋが、いずれも後連結部材２４に取り付けられているので、これらを棚板７とシャーシ２に分けて取り付けた第２実施形態と異なり、鍵盤装置３１の棚板７への取付精度などに影響されることなく、ハンマー２２間の回動ストロークのばらつきを無くすことができる。
【００３４】
なお、本発明は、説明した実施形態に限定されることなく、種々の態様で実施することができる。例えば、各実施形態では、シャーシが合成樹脂製で且つ棚板が木製のものとして説明したが、シャーシや棚板をこれら以外の材質で構成してもよいことはもちろんである。また、実施形態は、本発明を電子ピアノに適用した例であるが、本発明は、これに限らず、他の電子楽器（例えばシンセサイザなど）や、アコースティックピアノなどに広く適用することが可能である。その他、本発明の趣旨の範囲内で、細部の構成を適宜、変更することができる。
【００３５】
【発明の効果】
以上詳述したように、本発明の鍵盤楽器の鍵盤装置は、シャーシの製作コストの大幅な削減により製造コストを大幅に削減することができ、組立を容易に行えるとともに、別個の取付用部材を必要とすることなく、楽器本体にしっかり固定することができるなどの効果を有する。
【図面の簡単な説明】
【図１】本発明の第１実施形態による電子ピアノの鍵盤装置の、一部を省略した平面図である。
【図２】図１の鍵盤装置の側断面図である。
【図３】本発明の第２実施形態による電子ピアノの鍵盤装置の側断面図である。
【図４】本発明の第３実施形態による電子ピアノの鍵盤装置の、離鍵状態における側断面図である。
【図５】図４の鍵盤装置の、押鍵状態における側断面図である。
【符号の説明】
１  鍵盤装置
２  シャーシ
３  鍵
４  連結部材
４ａ  シャーシ連結部
４ｂ  棚板固定部
７  棚板
１１  ねじ
１２  連結部材
１２ａ  シャーシ連結部
１２ｂ  棚板固定部
２１  鍵盤装置
２４  連結部材
２４ａ  シャーシ連結部
２４ｂ  棚板固定部
３１  鍵盤装置
【図１】
0003746375.tif 000002
【図２】
0003746375.tif 000003
【図３】
0003746375.tif 000004
【図４】
0003746375.tif 000005
【図５】
0003746375.tif 000006